(57)【要約】【課題】固定部材と防水パンの周囲の構造物（壁や物置等）とが干渉することなく、防水パンに載置する洗濯機の転倒を防止することができ、かつ、容易に設置することができる転倒防止器具を提供する。【解決手段】転倒防止器具１００は、洗濯機２０を載置する防水パン１０を貫通しつつ防水パン１０が設置される床３０に対してネジ留めして固定する固定部材（ボルト１１０）と、ボルト１１０と洗濯機２０とを連結する連結部材（バンド１２０）と、を有する。ボルト１１０は、床３０にネジ留めして固定されるネジ留部１１３を設けた固定部１１０Ｍと、固定部１１０Ｍに着脱自在および回転自在に接続され、バンド１２０を取り付ける孔１１５ａを設けた取付部１１０Ｎと、を備えた。【選択図】図３
2018079303.tif 000002
【特許請求の範囲】
【請求項１】
洗濯機を載置する防水パンを貫通しつつ前記防水パンが設置される床に対してネジ留めして固定する固定部材と、
前記固定部材と前記洗濯機とを連結する連結部材と、を有し、
前記固定部材は、
前記床にネジ留めして固定されるネジ留部を設けた固定部と、
前記固定部に着脱自在および回転自在に接続され、前記連結部材を取り付ける孔を設けた取付部と、を備えた、転倒防止器具。
【請求項２】
前記取付部は、伸縮自在な封止部材を介して前記固定部に回転自在にネジ留めされる、請求項１に記載の転倒防止器具。
【請求項３】
前記固定部材は、前記取付部が前記固定部に接続された状態において、前記ネジ留部から前記孔まで直線状に構成している、請求項１または２に記載の転倒防止器具。
【請求項４】
前記固定部材は、前記防水パンに備えられた挿入部に挿入して前記防水パンを前記床に固定するアンカーボルトに換えて用いる、請求項１〜３のいずれか１項に記載の転倒防止器具。
【発明の詳細な説明】
【技術分野】
【０００１】
本発明は、転倒防止器具に関する。
【背景技術】
【０００２】
昨今の大地震では、洗濯機の転倒および転倒時の給水ホース破損による漏水事故等の発生が報告されており、洗濯機の転倒を防止する器具の必要性が高まっている。従来から、床に固定する固定部材（床面取付金具）と部材（家具）を連結部材（ベルト）によって連結することによって、地震等の際に、部材（家具）の転倒を防止する技術が知られている（例えば、特許文献１参照。）。
【先行技術文献】
【特許文献】
【０００３】
【特許文献１】特開２００６−３１４７３５号公報
【発明の概要】
【発明が解決しようとする課題】
【０００４】
特許文献１に記載の技術を、防水パンに載置される洗濯機の転倒防止に適用する場合、固定部材は、防水パンとの干渉を避けるために、防水パンの周囲の床に固定する必要がある。したがって、固定部材と防水パンの周囲の構造物（壁や物置等）とが干渉する場合には、適用することができない。
【０００５】
本発明は、上記の課題を解決するためになされたものであり、固定部材と防水パンの周囲の構造物（壁や物置等）とが干渉することなく、防水パンに載置する洗濯機の転倒を防止することができ、かつ、容易に設置することができる転倒防止器具の提供を目的とする。
【課題を解決するための手段】
【０００６】
上記目的を達成する本発明に係る転倒防止器具は、洗濯機を載置する防水パンを貫通しつつ前記防水パンが設置される床に対してネジ留めして固定する固定部材と、前記固定部材と前記洗濯機とを連結する連結部材と、を有し、前記固定部材は、前記床にネジ留めして固定されるネジ留部を設けた固定部と、前記固定部に着脱自在および回転自在に接続され、前記連結部材を取り付ける孔を設けた取付部と、を備えた。
【発明の効果】
【０００７】
上記のように構成した転倒防止器具によれば、固定部材と防水パンの周囲の構造物（壁や物置等）とが干渉することなく、防水パンに載置する洗濯機の転倒を防止することができ、かつ、容易に設置することができる。
【図面の簡単な説明】
【０００８】
【図１】第１実施形態の転倒防止器具の使用方法を模式的に示す斜視図である。
【図２】図１の転倒防止器具のボルトとパッキンを示す斜視図である。
【図３】図２の転倒防止器具のボルトを分解して示す斜視図である。
【図４】第２実施形態の転倒防止器具およびその使用方法の要部を模式的に示す斜視図である。
【図５】第３実施形態の一の転倒防止器具およびその使用方法の要部を模式的に示す斜視図である。
【図６】第３実施形態の他の転倒防止器具およびその使用方法の要部を模式的に示す斜視図である。
【発明を実施するための形態】
【０００９】
以下、添付した図面を参照しながら、本発明の実施形態（第１実施形態〜第３実施形態）を説明する。図面の説明において同一の要素には同一の符号を付し、重複する説明を省略する。図面における各部材の大きさや比率は、説明の都合上誇張され実際の大きさや比率とは異なる場合がある。
【００１０】
（第１実施形態）
図１は、第１実施形態の転倒防止器具１００の使用方法を模式的に示す斜視図である。図２は、図１の転倒防止器具１００のボルト１１０とパッキン１４０を示す斜視図である。図３は、図２の転倒防止器具１００のボルト１１０を分解して示す斜視図である。
【００１１】
転倒防止器具１００は、概説すれば、図１〜３に示すように、洗濯機２０を載置する防水パン１０を貫通しつつ防水パン１０が設置される床３０に対してネジ留めして固定する固定部材（ボルト１１０）と、ボルト１１０と洗濯機２０とを連結する連結部材（バンド１２０）と、を有する。ボルト１１０は、床３０にネジ留めして固定されるネジ留部１１３を設けた固定部１１０Ｍと、固定部１１０Ｍに着脱自在および回転自在に接続され、バンド１２０を取り付ける孔１１５ａを設けた取付部１１０Ｎと、を備えた。さらに、転倒防止器具１００は、バンド１２０を洗濯機２０に取り付けるアンカープレート１３０と、防水パン１０の挿入部１３とボルト１１０の隙間を封止する封止部材（パッキン１４０）と、を有している。以下、転倒防止器具１００の構成について説明する。
【００１２】
図１〜図３を参照しながら、転倒防止器具１００の構成について説明する。
【００１３】
ボルト１１０は、図１に示すように、洗濯機を載置する防水パン１０を貫通しつつ、防水パン１０が設置される床３０に固定する。ボルト１１０は、図２および図３に示すように、床３０に固定する固定部１１０Ｍと、固定部１１０Ｍに接続され孔１１５ａを備えた取付部１１０Ｎを備えている。取付部１１０Ｎは、固定部１１０Ｍと、分離自在に接続されている。
【００１４】
ボルト１１０の固定部１１０Ｍは、取付部１１０Ｎと接続される接続部１１１、接続部１１１と同軸上で隣り合い防水パン１０の挿入部１３に固定される中央部１１２、および中央部１１２と同軸上で隣り合い床３０にネジ留めして固定されるネジ留部１１３を含んでいる。接続部１１１、中央部１１２、およびネジ留部１１３は、一体に成形され、硬質の金属からなる。
【００１５】
固定部１１０Ｍにおいて、接続部１１１は、円柱形状からなり、ネジ山が形成されている。接続部１１１の端面には、プラスドライバを差し込むための十字状の溝１１１ａが形成されている。中央部１１２は、円柱形状からなり、接続部１１１よりも径大であって、防水パン１０の挿入部１３の上部の孔径よりも若干小さい。ネジ留部１１３は、円柱形状からなり、中央部１１２よりも長尺に形成されている。ネジ留部１１３は、中央部１１２よりも相当径小であって、先端にネジ山が形成されている。
【００１６】
ボルト１１０の取付部１１０Ｎは、固定部１１０Ｍと接続される基端部１１４、およびバンド１２０を取り付ける先端部１１５を含んでいる。基端部１１４および先端部１１５は、一体に成形され、硬質の金属からなる。
【００１７】
取付部１１０Ｎにおいて、基端部１１４は、円筒形状からなり、固定部１１０Ｍの接続部１１１と接続されるネジ溝が内周面に形成されている。先端部１１５は、四隅が丸められた長尺の板状に形成され、バンド１２０を取り付ける孔１１５ａを備えている。
【００１８】
バンド１２０は、図１に示すように、ボルト１１０と洗濯機２０とを連結する。バンド１２０は、帯状からなり長尺に形成されている。バンド１２０は、十分な強度を備えたポリエステル等からなる。バンド１２０は、その端部をボルト１１０の孔１１５ａに通して締結する。バンド１２０は、その端部に鉤を接合し、その鉤をボルト１１０の孔１１５ａに引っ掛けて締結する構成としてもよい。バンド１２０は、その全長を調整するためにバックル１２１を備えている。
【００１９】
アンカープレート１３０は、図１に示すように、バンド１２０を洗濯機２０に取り付けるためのものである。アンカープレート１３０は、一例として、洗濯機２０の給水ホース２２の一端の接続口に設けられる。アンカープレート１３０は、リング形状に形成され給水ホース２２の外周に挿入される本体部１３１、バンド１２０を挿入するための長尺状の挿入孔１３２ａを備えた挿入部１３２、および本体部１３１と挿入部１３２を連結する連結部１３３を含んでいる。アンカープレート１３０は、１枚の金属板からなる。締結には吸盤、両面テープ、マグネットもしくは洗濯機２０の上部に設けた別のバンドを用いてもよい。
【００２０】
パッキン１４０は、図１〜図３に示すように、防水パン１０の挿入部１３とボルト１１０の隙間を封止する。パッキン１４０は、平たいリング状に形成されている。パッキン１４０は、耐久性を備えたニトリルゴム（ＮＢＲ）等からなる。パッキン１４０は、ボルト１１０の固定部１１０Ｍの基端側（床３０にネジ留めしない側）に挿入される。
【００２１】
図１を参照しながら、転倒防止器具１００の使用方法について説明する。
【００２２】
洗濯機２０が載置される防水パン１０は、洗濯機２０等から漏れた排水を排水管に排出するものである。なお、防水パン１０は、いわゆる、洗濯機パン、洗濯パン、洗濯機載置台、または洗濯機置台とも称され、それらを含む。
【００２３】
洗濯機２０は、防水パン１０の四隅に備えられた載置部１２に載置される。載置部１２は、防水パン１０の中央の排水部１１に対してかさ上げされている。防水パン１０は、各々の載置部１２の外縁に近い部分に、床３０まで貫通した挿入部１３が備えられている。挿入部１３は、段違いの孔を備え、上部の孔径に対して下部の孔径の方が小さい。アンカーボルト４０は、挿入部１３の上部の孔の部分に接触して保持される。通常、防水パン１０は、四隅の備えられた各々の挿入部１３にアンカーボルト４０を挿入して保持された状態において、そのアンカーボルト４０の先端が床３０に固定される。
【００２４】
転倒防止器具１００のボルト１１０は、アンカーボルト４０に換えて用いる。ボルト１１０は、一対からなり、防水パン１０に載置する洗濯機２０の後方の両側に位置する各々の挿入部１３に挿入して床３０に固定する。その際に、一対のボルト１１０は、防水パン１０の挿入部１３に挿入して防水パン１０を床３０に固定する。すななち、一対のボルト１１０は、アンカーボルト４０としての機能も有する。なお、防水パン１０に載置する洗濯機２０の前方の両側に位置する各々の挿入部１３には、従来通り、アンカーボルト４０が挿入されて床３０に固定される。
【００２５】
転倒防止器具１００のアンカープレート１３０は、洗濯機２０の本体２１の上部に取り付けられた給水ホース２２の接続口に締結されている。
【００２６】
転倒防止器具１００のバンド１２０は、アンカープレート１３０の挿入孔１３２ａに挿入された状態において、その両端が床３０に固定された一対のボルト１１０の孔１１５ａに取り付けられている。バンド１２０は、アンカープレート１３０を用いることなく、洗濯機２０の給水ホース２２に巻き付けた状態において、その両端が床３０に固定された一対のボルト１１０の孔１１５ａに取り付けてもよい。バンド１２０は、給水ホース２２に巻き付けることなく、洗濯機２０の本体２１の任意の部分に取り付けてもよい。いずれにしても、バンド１２０は、運転中の洗濯機２０の振動に対応するために、若干緩やかに取り付けられる。
【００２７】
以上説明した第１実施形態の作用効果を説明する。
【００２８】
転倒防止器具１００は、洗濯機２０を載置する防水パン１０を貫通しつつ防水パン１０が設置される床３０に対してネジ留めして固定するボルト１１０（固定部材）と、ボルト１１０と洗濯機２０とを連結するバンド１２０（連結部材）と、を有する。ボルト１１０は、床３０にネジ留めして固定されるネジ留部１１３を設けた固定部１１０Ｍと、固定部１１０Ｍに着脱自在および回転自在に接続され、バンド１２０を取り付ける孔１１５ａを設けた取付部１１０Ｎと、を備えた。
【００２９】
かかる転倒防止器具１００によれば、ボルト１１０を防水パン１０に貫通させて床３０にネジ留めして固定することから、ボルト１１０と防水パン１０の周囲の構造物（壁や物置等）とが干渉することなく、防水パン１０に載置する洗濯機２０の転倒を防止することができる。さらに、かかる転倒防止器具１００によれば、先ず固定部１１０Ｍを床３０に固定して、次にその固定部１１０Ｍに取付部１１０Ｎを回転させながら接続することができることから、ボルト１１０を床３０に対して容易に設置することができ、防水パン１０に載置する洗濯機２０の転倒を防止することができる。
【００３０】
すなわち、床３０に対して容易に設置できる転倒防止器具１００によって、防水パン１０に載置する洗濯機２０が地震等の際に転倒することを防止して、洗濯機２０が床３０や通路を遮蔽して人の通行や避難を阻害したり、洗濯機２０が人やペット等に接触したり、洗濯機２０の中の洗濯水等が床３０等に漏れたり、洗濯機２０に取り付けられた給水ホースが外れて水道水が漏れ続けたりする等の問題を回避することができる。
【００３１】
さらに、転倒防止器具１００によれば、それ自体が振動源となり剛体による転倒防止は難しい洗濯機２０をバンド１２０によって拘束することから、その洗濯機２０の振動がアンカーであるボルト１１０に直接的に伝搬することを防止できる。したがって、転倒防止器具１００は、防水パン１０に貫通させて床３０にネジ留めして固定するボルト１１０を十分に保護して、ボルト１１０が床３０から抜けることを防止できる。
【００３２】
さらに、転倒防止器具１００において、ボルト１１０は、取付部１１０Ｎの孔１１５ａの向きを、バンド１２０を取り付ける洗濯機２０の位置に合わせて調整することができる。この結果、バンド１２０は、捩れや撓みを生じさせることなく、ボルト１１０と洗濯機２０を連結することができる。したがって、転倒防止器具１００は、地震等によって揺れが発生したとしても、防水パン１０に載置する洗濯機２０の転倒を十分に防止することができる。
【００３３】
また、転倒防止器具１００において、最初に固定部１１０Ｍを床３０に固定した後、その固定部１１０Ｍに取付部１１０Ｎを接続するボルト１１０は、その拡張性が高い。具体的には、例えば、固定部１１０Ｍに十字状の溝１１１ａを形成すれば、最初にプラスドライバによって固定部１１０Ｍを床３０に容易にネジ込みながら固定することができる。
【００３４】
また、転倒防止器具１００において、ボルト１１０は、固定部１１０Ｍと取付部１１０Ｎとが分離自在であることから、固定部１１０Ｍと取付部１１０Ｎを一体に製造する場合と比較して、廉価かつ精度良く製造することができる。したがって、転倒防止器具１００は、地震等によって揺れが発生したとしても、廉価かつ高精度なボルト１１０を用いて、防水パン１０に載置する洗濯機２０の転倒を防止することができる。また、転倒防止器具１００は、要求される仕様（強度や使い易さ）に合わせて、複数種類の固定部１１０Ｍと取付部１１０Ｎを任意に組み合わせて構成することができる。かかるボルト１１０によれば、既設された防水パン１０の後方２カ所の通常のアンカーボルト４０を置き換えることで転倒防止機能を付与することが可能となる。
【００３５】
転倒防止器具１００は、防水パン１０の周囲に全くスペースがない場合においても用いることができる。
【００３６】
さらに、かかる転倒防止器具１００によれば、防水パン１０に貫通させた状態のボルト１１０に取り付けたバンド１２０によって、洗濯機２０を防水パン１０の側に向かうように床３０に対して十分に押さえ付けて保持することができる。したがって、転倒防止器具１００は、地震等によって揺れが発生したとしても、防水パン１０に載置する洗濯機２０の転倒を防止することができる。
【００３７】
特に、このような構成の転倒防止器具１００によれば、載置部１２が排水部１１に対してかさ上げされたタイプの防水パン１０を用いる場合に好適である。すなわち、載置部１２が排水部１１に対してかさ上げされたタイプの防水パン１０は、洗濯機２０が位置ずれした場合、洗濯機２０の脚が載置部１２の外縁からはみ出して転倒し易い。転倒防止器具１００は、上記のようなタイプの防水パン１０を用いる場合であっても、地震等によって揺れが発生した場合に、防水パン１０に載置する洗濯機２０の転倒を防止することができる。
【００３８】
また、転倒防止器具１００において、ボルト１１０は、バンド１２０を取り付ける孔１１５ａを備えていることから、孔１１５ａを用いて、バンド１２０を強固に取り付けることができる。すなわち、バンド１２０をボルト１１０の孔１１５ａに通して締結することによって、バンド１２０がボルト１１０から離脱することを防止できる。したがって、転倒防止器具１００は、地震等によって揺れが発生したとしても、防水パン１０に載置する洗濯機２０の転倒を十分に防止することができる。
【００３９】
さらに、転倒防止器具１００において、ボルト１１０は、防水パン１０の例えば挿入部１３に挿入しつつ貫通し防水パン１０を床３０に固定していることから、バンド１２０を介して洗濯機２０を防水パン１０に固定すると共に、洗濯機２０を載置する防水パン１０自体を床３０に強固に固定することができる。すなわち、ボルト１１０は、防水パン１０の位置が床３０に対してずれることを防止できる。したがって、転倒防止器具１００は、地震等によって揺れが発生したとしても、防水パン１０に載置する洗濯機２０の転倒を十分に防止することができる。
【００４０】
取付部１１０Ｎは、伸縮自在なパッキン１４０（封止部材）を介して固定部１１０Ｍにネジ留めされることが好ましい。
【００４１】
かかる転倒防止器具１００によれば、取付部１１０Ｎを固定部１１０Ｍに対して回転させつつ、取付部１１０Ｎの孔１１５ａの向きを洗濯機２０の位置に合わせて調整するときに、取付部１１０Ｎと固定部１１０Ｍとが、パッキン１４０によって弾発力が発生した状態で十分に接続される。すなわち、取付部１１０Ｎは、伸縮自在なパッキン１４０を圧縮させた状態で固定部１１０Ｍに接続することによって、固定部１１０Ｍに接続後に、固定部１１０Ｍに対して空回りするようなことを防止できる。
【００４２】
また、パッキン１４０によって、防水パン１０とボルト１１０との隙間を封止すれば、洗濯機２０から漏れた排水が、防水パン１０とボルト１１０の隙間から床３０に向かって漏れ出すことを防止できる。この結果、ボルト１１０を固定した床３０が、排水によって腐食することを防止できる。すなわち、ボルト１１０は、床３０に十分に固定された状態を維持することができる。したがって、転倒防止器具１００は、地震等によって揺れが発生したとしても、防水パン１０に載置する洗濯機２０の転倒を十分に防止することができる。
【００４３】
ボルト１１０は、取付部１１０Ｎが固定部１１０Ｍに接続された状態において、ネジ留部１１３から孔１１５ａまで直線状に構成していることが好ましい。
【００４４】
かかるボルト１１０によれば、ネジ留部１１３から孔１１５ａまで直線状に形成されていることから、防水パン１０に取り付けるとき、および防水パン１０に取り付けた後において、防水パン１０の周囲の構造物（壁や物置等）や防水パン１０に載置する洗濯機２０との干渉を十分に避けることができる。
【００４５】
ボルト１１０は、防水パン１０に備えられた挿入部１３に挿入して防水パン１０を床３０に固定するアンカーボルト４０に換えて用いることが好ましい。
【００４６】
かかるボルト１１０によれば、防水パン１０に備えられたアンカーボルト４０用の挿入部１３を用いて、床３０に固定することができる。したがって、転倒防止器具１００は、防水パン１０にボルト１１０専用の孔を備える等の余計な手間や費用を掛けることなく、地震等によって揺れが発生したとしても、防水パン１０に載置する洗濯機２０の転倒を防止することができる。
【００４７】
ボルト１１０は、防水パン１０に載置する洗濯機２０の後方に位置する挿入部１３を介して床３０に固定することが好ましい。
【００４８】
かかるボルト１１０によれば、洗濯機２０が防水パン１０の前方に向かって転倒することを防止できる。この結果、洗濯機２０が、防水パン１０の前方の床３０や通路に転倒して、床３０や通路を遮蔽したり、人やペット等に接触したりすることを防止できる。このように、転倒防止器具１００は、地震等によって揺れが発生したとしても、防水パン１０に載置する洗濯機２０の転倒を効果的に防止することができる。さらに、転倒防止器具１００によれば、ボルト１１０に取り付けたバンド１２０と、洗濯機２０における洗濯物の開閉扉（取出口）の干渉を回避できる。例えば、開閉扉（取出口）が前方に備えられたドラム式の洗濯機２０において、洗濯機２０の前方に位置する開閉扉（取出口）と、洗濯機２０の後方に位置するバンド１２０の干渉を効果的に回避できる。
【００４９】
ここで、洗濯機２０の後方に壁が無い場合には、防水パン１０に載置する洗濯機２０の前方に位置する挿入部１３を介して、ボルト１１０を床３０に固定してもよい。かかるボルト１１０によれば、洗濯機２０が防水パン１０の後方に向かって転倒することを効果的に防止できる。同様に、洗濯機２０の一側面の側に壁が無い場合には、防水パン１０に載置する洗濯機２０の他側面（一側面と対向する側面）の側に位置する挿入部１３を介して、ボルト１１０を床３０に固定してもよい。かかるボルト１１０によれば、洗濯機２０が防水パン１０の一側面の側に向かって転倒することを防止できる。さらに、防水パン１０の四隅の挿入部１３の全てにボルト１１０を挿入して、各々のボルト１１０を床３０に固定することによって、洗濯機２０の全方位への転倒を防止してもよい。
【００５０】
ボルト１１０は、一対からなり、防水パン１０に載置する洗濯機２０の後方の両側に位置する各々の挿入部１３を介して床３０に固定することが好ましい。
【００５１】
かかる転倒防止器具１００によれば、洗濯機２０を後方の両側（２方向）から支持することができることから、地震等に伴う強い横揺れのように、洗濯機２０に対して左右方向に大きな力が掛かった場合にも、洗濯機２０を十分に固定することができる。したがって、転倒防止器具１００は、地震等によって強い横揺れが発生したとしても、防水パン１０に載置する洗濯機２０の転倒を十分に防止することができる。
【００５２】
（第２実施形態）
図４は、第２実施形態の転倒防止器具２００およびその使用方法の要部を模式的に示す斜視図である。
【００５３】
第２実施形態に係る転倒防止器具２００は、ボルト１１０に換えて、防水パン５０に備えた保持部２１０を用いる点において、上述した転倒防止器具１００と相違する。
【００５４】
第２実施形態に係る転倒防止器具２００では、上述した第１実施形態の構成とは異なる保持部２１０の構成について説明する。
【００５５】
図４を参照して、保持部２１０は、例えば、防水パン１０の四隅に備えられた４つの載置部１２のうち、防水パン１０に載置する洗濯機２０の後方の両側に位置する２つの載置部１２の部分に相当する。各々の載置部１２の側面には、Ｕ字形状の孔２１１が備えられている。孔２１１は、一対の横長の開口を有し、載置部１２の側面において上下に並んで開口している。バンド１２０は、孔２１１の一対の開口に挿通され、その孔２１１の一対の開口の間の部分に引っ掛けるようにして、防水パン５０に取り付けられる。
【００５６】
以上説明した第２実施形態の作用効果を説明する。
【００５７】
転倒防止器具２００は、洗濯機２０を載置する防水パン５０を貫通する孔２１１を備えた保持部２１０と、孔２１１に挿入し保持部２１０と洗濯機２０とを連結するバンド１２０と、を有する。
【００５８】
かかる転倒防止器具２００によれば、防水パン５０を貫通する孔２１１を備えた構成からなる保持部２１０によって、保持部２１０と防水パン５０の周囲の構造物（壁や物置等）とが干渉することなく、防水パン５０に載置する洗濯機２０の転倒を防止することができる。
【００５９】
（第３実施形態）
図５は、第３実施形態の一の転倒防止器具３００およびその使用方法の要部を模式的に示す斜視図である。図６は、第３実施形態の他の転倒防止器具４００およびその使用方法の要部を模式的に示す斜視図である。
【００６０】
第３実施形態に係る転倒防止器具３００および４００は、バンド３２０および４２０を、洗濯機２０の両側の側面２０ａに接合している点において、上述した転倒防止器具１００および２００と相違する。
【００６１】
第１および第２実施形態に係る転倒防止器具１００および２００では、上述した第１および第２実施形態の構成とは異なる構成について説明する。
【００６２】
図５において、転倒防止器具３００のバンド３２０（連結部材）とボルト１１０を用いて、洗濯機２０を固定している状態を図示している。
【００６３】
図５に示すように、少なくとも、一対のバンド３２０によって、それぞれ、一対のボルト１１０と、洗濯機２０の両側の側面２０ａとを連結する。バンド３２０は、長尺な帯状に形成されている。バンド３２０の一端３２０ａと洗濯機２０の側面２０ａとは、いわゆる面ファスナーを介して連結したり、接着剤を用いて連結したりする。
【００６４】
図６において、転倒防止器具４００のバンド４２０（連結部材）を用いて、洗濯機２０を固定している状態を図示している。
【００６５】
図６に示すように、バンド４２０によって、洗濯機２０を載置する防水パン１０の脚部１０ａと、洗濯機２０の両側の側面２０ａの下端とを連結する。図６では、一例として、洗濯機２０の１つの脚部１０ａに２つのバンド４２０を連結しているが、少なくとも１つのバンド４２０を連結すればよい。また、図６では、転倒防止器具４００と共に、転倒防止器具３００を併用した構成を図示しているが、転倒防止器具４００のみ使用する構成としてもよい。複数のバンド４２０によって、それぞれ、洗濯機２０を載置する防水パン１０の４隅の脚部１０ａと、洗濯機２０の両側の側面２０ａの下端とを連結してもよい。バンド４２０は、短尺な帯状に形成されている。バンド４２０は、伸縮性を備えた構成としてもよい。バンド４２０の一端４２０ａと洗濯機２０の側面２０ａの下端、およびバンド４２０の他端４２０ｂと防水パン１０の脚部１０ａの側面とは、いわゆる面ファスナーを介して連結したり、接着剤を用いて連結したりする。バンド４２０は、長尺な帯状に形成し、その一端４２０ａを図６に示す洗濯機２０の側面２０ａの中央まで伸長させて連結しても良い。
【００６６】
以上説明した第３実施形態の作用効果を説明する。
【００６７】
転倒防止器具３００は、洗濯機２０を載置する防水パン１０を貫通しつつ防水パン１０が設置される床３０に対してネジ留めして固定するボルト１１０（固定部材）と、ボルト１１０と洗濯機２０の両側の側面２０ａとを連結するバンド３２０（連結部材）と、を有する。ボルト１１０は、床３０にネジ留めして固定されるネジ留部１１３を設けた固定部１１０Ｍと、固定部１１０Ｍに着脱自在および回転自在に接続され、バンド３２０を取り付ける孔１１５ａを設けた取付部１１０Ｎと、を備えた。
【００６８】
転倒防止器具４００は、洗濯機２０を載置する防水パン１０の脚部１０ａと洗濯機２０の両側の側面２０ａとを連結するバンド４２０（連結部材）を有する。
【００６９】
かかる転倒防止器具３００および４００によれば、非常に簡便な構成によって容易に設置しつつ、洗濯機２０の両側の側面２０ａに接合して十分に保持することができ、防水パン１０の周囲の構造物（壁や物置等）と干渉することなく、防水パン１０に載置する洗濯機２０の転倒を防止することができる。
【００７０】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【００７１】
また、例えば第１実施形態では、一本（同一）のバンド１２０を、２つのボルト１１０の各々の孔１１５ａに挿入して取り付ける構成として説明したが、このような構成に限定されることはない。一例として、バンド１２０を一対用意して、１つのボルト１１０の孔１１５ａ毎に一本のバンド１２０を挿入して取り付ける構成としてもよい。
【００７２】
また、例えば第１実施形態では、バンド１２０をボルト１１０の孔１１５ａに通してボルト１１０と洗濯機２０とを連結する構成として説明したが、このような構成に限定されることはない。一例として、ボルト１１０の頭部をコブ状に膨らませて形成して、コブ状の部分の根元にバンド１２０を巻き付けてボルト１１０と洗濯機２０とを連結する構成としてもよい。
【００７３】
特に、転倒防止器具１００は、防水パン１０に固定せずに貫通させただけの状態のボルト１１０であっても、床３０にネジ留めしたボルト１１０に接続したバンド１２０と、防水パン１０に載置した洗濯機２０と、によって防水パン１０を挟み込んで張力を掛けた状態において保持できることから、防水パン１０の移動を制限することができる。したがって、転倒防止器具１００は、防水パン１０が床３０にネジ留め等によって固定されていないような場合において、地震等によって揺れが発生したとしても、防水パン１０に載置する洗濯機２０の転倒を防止することができる。
【符号の説明】
【００７４】
１０，５０  防水パン、
１０ａ    脚部、
１１      排水部、
１２      載置部、
１３      挿入部、
２０      洗濯機、
２０ａ    側面、
２１      本体、
２２      給水ホース、
３０      床、
４０      アンカーボルト、
１００，２００，３００，４００  転倒防止器具、
１１０    ボルト（固定部材）、
１１０Ｍ  固定部、
１１０Ｎ  取付部、
１１１    接続部、
１１１ａ  溝、
１１２    中央部、
１１３    ネジ留部、
１１４    基端部、
１１５    先端部、
１１５ａ  孔、
１２０，３２０，４２０  バンド（連結部材）、
３２０ａ，４２０ａ  一端、
４２０ｂ  他端、
１２１    バックル、
１３０    アンカープレート、
１３１    本体部、
１３２    挿入部、
１３２ａ  挿入孔、
１３３    連結部、
１４０    パッキン（封止部材）、
２１０    保持部、
２１１    孔。
【図１】
2018079303.tif 000003
【図２】
2018079303.tif 000004
【図３】
2018079303.tif 000005
【図４】
2018079303.tif 000006
【図５】
2018079303.tif 000007
【図６】
2018079303.tif 000008